(57)【要約】      （修正有）【課題】特に長期間保存が可能で、且つ信頼性の高い泡消火剤蓄蔵混合放射筒装置を提供する。【解決手段】胴体カバー体７内に消火剤が充填される中空型ダイヤフラムバッグ９が取り付けられると共に、胴体後部カバー２４に、バルブ本体１７と連通する消火剤案内部２３及び中空型ダイヤフラムバッグ９（胴体カバー体７内に密閉保存されている）を貫く切軸２６が取り付けられる構成であるので、消火剤を１０年間以上に亘り保存することができる。そして、消火作業に使用する時は、操作レバー１１を操作することにより切軸２６を押し込んで中空型ダイヤフラムバッグ９を貫かせ、消火剤と水とを水圧によって混合管本体内で二回混合して泡水溶液を作成させ、ノズルより噴射して消火する。【選択図】図１
0003143441.tif 000002
【実用新案登録請求の範囲】
【請求項１】
内部に混合液の二次混合回転体（６）が取り付けられ、外側に胴体後部カバー（２４）を備える胴体カバー体（７）が固定されると共に、後端にテーパー孔が形成される泡混合管本体（８）と、
前記泡混合管本体（８）の前端に螺合されると共に、テーパー状を呈し、後端に泡混合管本体（８）と螺合されるノズルキャップ（５）が形成され、外周に空気吸引孔（４）を備えるスリーブが設けられ、該スリーブの前端に泡ノズル（１）と螺合するねじ山が形成されるノズル（２）と、
内部にテーパー状の圧力水ノズル（１４）が取り付けられ、前記泡混合管本体（８）の後端に螺合される送水孔を備えるバルブ本体（１７）と、
円体バルブ（１９）と操作レバー（１１）とを有し、前記バルブ本体（１７）の送水孔端に取付られるバルブ本体接続部（１８）と、を含み、
前記胴体カバー体（７）内に消火剤が充填される中空型ダイヤフラムバッグ（９）が設けられ、前記胴体後部カバー（２４）にバルブ本体（１７）と連通する消火剤案内部（２３）が取り付けられ、該消火剤案内部（２３）内に中空型ダイヤフラムバッグ（９）を貫くための切軸（２６）が取り付けられ、切軸（２６）の後端にナット（２２）及びスプリング（２１）が取り付けられ、該円体バルブ（１９）の操作レバー（１１）の前端にナット（２２）と押圧するための切軸押圧板（２０）及びそのスプリングが取り付けられ、前記円体バルブ（１９）は、中心に圧力水貫通用孔が形成されるとともに、外部に圧力水を中空型ダイヤフラムバッグ（９）と胴体カバー（７）の間に導入する通水溝が後部から上部に亘り形成されていることを特徴とする泡消火剤蓄蔵混合放射筒装置。
【請求項２】
前記消火剤が充填される中空型ダイヤフラムバッグ（９）は、その中央に泡混合管本体（８）を貫通させる中空孔を有する円筒状体であることを特徴とする請求項１に記載の泡消火剤蓄蔵混合放射筒装置。
【請求項３】
前記二次混合回転体（６）は、その中心にテーパー孔が形成されると共に、外周面に混合液を送り出すための螺旋溝が形成されることを特徴とする請求項１に記載の泡消火剤蓄蔵混合放射筒装置。
【請求項４】
前記ノズル（２）のスリーブに、空気吸引孔（４）の開度を調整する空気吸引孔調整リング（３）が可動的に取り付けられていることを特徴とする請求項１に記載の泡消火剤蓄蔵混合放射筒装置。
【考案の詳細な説明】
【技術分野】
【０００１】
本考案は、消火用の消火装置に属し、特に泡消火剤蓄蔵混合放射筒装置に関するものである。
【背景技術】
【０００２】
火災は人々の財産、ひいては命をも奪っていく。故に火災をいち早く消火するため、例えば、バザール会場や映画館、官庁、学校、工場、事業場、住宅などには手持ち式消火器が備えられており、その中でも手持ち式泡消火器と粉末消火器は、初期火災に対して、特に有効であると言われている。
【０００３】
従来の泡消火器は、その内部に泡消火剤と水とを混合した混合水溶液が充填されると共に、７〜１０Ｋｇ／ｃｍ２の高圧空気または窒素ガスが充填され、更に、消火器の上方に手持ち式制御バルブが取り付けられ、その手持ち式制御バルブの出口にホースとノズルが接続されている。
【考案の開示】
【考案が解決しようとする課題】
【０００４】
しかしながら、このような市販の泡消火器に用いられる、消火剤と水との混合水溶液は変質しやすいので、２年の保存期限が過ぎると、新しい混合水溶液と交換する必要があり、中には混合水溶液が１年しか持たない泡消火器も存在している。このような消火器は、経済的だけではなく、場合によっては、消火作業にも影響を及ぼす恐れがある。また、混合水溶液を再充填する場合、廃液の処理と環境衛生にも大きな影響を及ぼす。
【０００５】
そこで案出されたのが本考案であって、泡消火剤を１０年以上の長期間に保存でき、信頼性及び実用性の高い泡消火剤蓄蔵混合放射筒装置の提供を目的としている。
【課題を解決するための手段】
【０００６】
市販の泡消火器の問題点を解決するために、本考案が採用した技術手段は、以下に示す通りである。
【０００７】
本考案の請求項１は、内部に混合液の二次混合回転体（６）が泡混合管本体前端内に取り付けられ、外側に胴体後部カバー（２４）を備える胴体カバー体（７）が固定されると共に、後端にテーパー孔が形成される泡混合管本体（８）と、前記泡混合管本体（８）の前端に螺合されると共に、テーパー状を呈し、後端に泡混合管本体（８）と螺合されるノズルキャップ（５）が形成され、外周に空気吸引孔（４）を備えるスリーブが設けられ、該スリーブの前端に泡ノズル（１）と螺合するねじ山が形成されるノズル（２）と、内部にテーパー状の圧力水ノズル（１４）が取り付けられ、前記泡混合管本体（８）の後端に螺合される送水孔を備えるバルブ本体（１７）と、円体バルブ（１９）と操作レバー（１１）とを有し、前記バルブ本体（１７）の送水孔端に取付られるバルブ本体接続部（１８）と、を含み、前記胴体カバー体（７）内に消火剤が充填される中空型ダイヤフラムバッグ（９）が設けられ、胴体後部カバー（２４）にバルブ本体（１７）と連通する消火剤案内部（２３）が取り付けられ、消火剤案内部（２３）内に中空型ダイヤフラムバッグ（９）の切軸（２６）が取り付けられ、該切軸（２６）の後端にナット（２２）及びスプリング（２１）が取り付けられ、該円体バルブ（１９）の操作レバー（１１）の前端にナット（２２）と押圧するための切軸押圧板（２０）及びそのスプリングが取り付けられ、前記円体バルブ（１９）は、中心に圧力水貫通用孔が形成されるとともに、外部に圧力水を中空型ダイヤフラムバッグ（９）と胴体カバー（７）の間に導入する通水溝が後部から上部に亘り形成されていることを特徴とする泡消火剤蓄蔵混合放射筒装置、を提供するものである。
【０００８】
本考案の請求項２は、前記消火剤が充填される中空型ダイヤフラムバッグ（９）は、その中央に泡混合管本体（８）を貫通させるための中空孔を有する円筒状体であることを特徴とする請求項１に記載の泡消火剤蓄蔵混合放射筒装置、を提供するものである。
【０００９】
本考案の請求項３は、前記二次混合回転体（６）は、その中心にテーパー孔が形成されると共に、外周面に混合液を送り出すための数本の螺旋溝が形成されることを特徴とする請求項１に記載の泡消火剤蓄蔵混合放射筒装置、を提供するものである。
【００１０】
本考案の請求項４は、前記ノズル（２）のスリーブに、空気吸引孔（４）の開度を調整する空気吸引孔調整リング（３）が可動的に取り付けられていることを特徴とする請求項１に記載の泡消火剤蓄蔵混合放射筒装置、を提供するものである。
【考案の効果】
【００１１】
本考案は上記の課題を解決するものであり、胴体カバー体（７）内に消火剤が充填される中空型ダイヤフラムバッグ（９）が取り付けられると共に、胴体後部カバー（２４）に、バルブ本体（１７）と連通する消火剤案内部（２３）及び中空型ダイヤフラムバッグ（９）（胴体カバー体（７）内に密閉保存されている）を貫く切軸（２６）が取り付けられる構成であるので、消火剤を１０年間以上に亘り保存することができる。そして、消火作業に使用する時は、操作レバー（１１）を操作することにより切軸（２６）を押し込んで中空型ダイヤフラムバッグ（９）を貫かせ、消火剤と水とを水圧によって混合管本体内で二回混合して泡水溶液を作成させ、ノズルより噴射して消火する。これによれば、消火器の使用効率を向上させることができ、コストの低減にも繋がり、更には、構造の簡素化により、製造を容易にし、その上、変質しにくく、腐食しにくく、汚染しにくい消火作業が可能となる。
【考案を実施するための最良の形態】
【００１２】
以下、添付図面を参照して本考案の好適な実施の形態を詳細に説明する。尚、下記実施例は、本考案の好適な実施の形態を示したものの一種にすぎず、本考案の技術的範囲は、下記実施例そのものに何ら限定されるものではない。
【００１３】
図１は本考案に係る泡消火剤蓄蔵混合放射筒装置の側面断面図であり、図２は本考案の図１における二次混合回転体の斜視図であり、図３は本考案の図１における中空型ダイヤフラムバッグの部分断面斜視図であり、図４は本考案に係る泡消火剤蓄蔵混合放射筒装置の使用状態を示す斜視図であり、図５は図１に示すの泡消火剤蓄蔵混合放射筒装置の一部を下から見た透視斜視図である。
【００１４】
図１及び図５に示すように、泡混合管本体（８）の前端に二次混合体（６）、後端にテーパー孔が形成されると共に、前端にテーパー状のノズル（２）が螺合され、該ノズル（２）の後端に泡混合管本体（８）と螺合するノズルキャップ（５）が形成され、ノズル（２）の外周に空気吸引孔（４）を備えるスリーブが設けられ、該スリーブに空気吸引孔（４）の開度を調整する空気吸引孔調整リング（３）が可動的に取り付けられており、該スリーブの前端に泡ノズル（１）が螺合されている。
【００１５】
前記泡混合管本体（８）の後端に送水孔を備えるバルブ本体（１７）が螺合され、該バルブ本体（１７）の送水孔端にナット取付部（１６）を介してバルブ本体接続部（１８）が取付られ、該バルブ本体接続部（１８）の側面に提げレバー（１０）が取り付けられ、円体バルブ（１９）に操作レバー（１１）が取り付けられている。
【００１６】
前記泡混合管本体（８）の外側に胴体後部カバー（２４）を備える胴体カバー体（７）が設けられ、該胴体カバー体（７）の前端と泡混合管本体（８）の前端とが固定され、該胴体カバー体（７）の胴体後部カバー（２４）が取付ナット（１５）を介して泡混合管本体（８）のバルブ本体（１７）と接続される。
【００１７】
前記胴体カバー体（７）内に消火剤が充填される、円筒状を成す中空型ダイヤフラムバッグ（９）が設けられ、また、図３に示すように、前記中空型ダイヤフラムバッグ（９）に消火剤充填口（１２）及び消火剤出口（３０）が設けられると共に、前記胴体後部カバー（２４）にバルブ本体（１７）と連通する消火剤案内部（２３）が設けられ、消火剤案内部（２３）と消火剤出口（３０）との間はナット（２５）を介して固定されている。更に、前記消火剤案内部（２３）内に中空型ダイヤフラムバッグ（９）の切軸（２６）が取り付けられ、切軸（２６）の後端にナット（２２）が固定されると共に、消火剤案内部（２３）の上端にシールリングを備えるナット（２２）及びナット（２２）のスプリング（２１）が取り付けられ、円体バルブ（１９）の操作レバー（１１）の前端に該ナット（２２）を押圧する切軸押圧板（２０）及びそのスプリングが取り付けられ、該操作レバー（１１）と胴体後部カバー（２４）との間には、誤作動を防止するための安全栓が取り付けられている。
【００１８】
前記バルブ本体接続部（１８）の前端に円体バルブ（１９）と連通する連通孔が形成されると共に、前記バルブ本体（１７）の両端にそれぞれ胴体カバー体（７）とバルブ本体接続部（１８）の連通孔とに連通する内部通路が形成され、これにより、中空型ダイヤフラムバッグ（９）に消火剤を泡混合管本体（８）に送るための圧力を持たせることができる。
【００１９】
前記泡混合管本体（８）のバルブ本体（１７）内にテーパー状の圧力水ノズル（１４）が取り付けられると共に、混合液が容易に流れるように、泡混合管本体（８）の後端にＶ字状の混合室が形成されている。
【００２０】
図２に示すように、前記泡混合管本体（８）の前端内部に、円柱状を呈する混合液の二次混合回転体（６）が取り付けられ、該二次混合回転体（６）は、後方に向かってテーパー状を呈し、表面に４本（或いは数本）の螺旋溝が形成され、後端にテーパー孔が形成されている。これにより、前記二次混合回転体（６）を通過した混合液は高速回転し、消火剤と水とをより一層確実に混合させることができる。
【００２１】
本考案を使用する時は、従来の消火器に取り付けられている手持ち式制御バルブ（２８）のホース（２７）を本考案のバルブ本体接続部（１８）、に接続するだけで取付完成、また、消火作業を行うときには、図４に示すように、従来の消火器（２９）内には水と圧縮空気とが充填されているので、手持ち式制御バルブ（２８）を押し、操作レバー（１１）を操作することにより、切軸（２６）を移動させて中空型ダイヤフラムバッグ（９）を貫かせ、水圧によって消火剤と水とを泡混合管本体（８）内において混合させ、混合された水溶液は二次混合回転体（６）の螺旋溝によって完全混合された消火泡水溶液になり、この水溶液はノズル（２）の噴出口より泡ノズルに放射され、泡ノズル内で泡に形成され、それを外部に噴射させて火を消す。
【産業上の利用可能性】
【００２２】
本考案は上記の構成を有するので、大型泡消火器の代わりに、本考案に係る泡消火剤蓄蔵混合放射筒装置を水消火栓に接続しても、同じ効果を発揮することができ、また、消火器の使用効率を向上させることができと共に、低コスト化を図ることができ、更には、構造の簡素化により、製造を容易にすることができる。
【図面の簡単な説明】
【００２３】
【図１】本考案に係る泡消火剤蓄蔵混合放射筒装置の側面断面図である。
【図２】本考案の図１における二次混合回転体の斜視図である。
【図３】本考案の図１における中空型ダイヤフラムバッグの部分断面斜視図である。
【図４】本考案に係る泡消火剤蓄蔵混合放射筒装置の使用状態を示す斜視図である。
【図５】図１に示すの泡消火剤蓄蔵混合放射筒装置の一部を下から見た透視斜視図である。
【符号の説明】
【００２４】
１   泡ノズル
２   ノズル
３   空気吸引孔調整リング
４   空気吸引孔
５   ノズルキャップ
６   二次混合回転体
７   胴体カバー体
８   泡混合管本体
９   中空型ダイヤフラムバッグ
１０ 提げレバー
１１ 操作レバー
１２ 消火剤充填口
１３ 安全栓
１４ 圧力水ノズル
１５ 取付ナット
１６ ナット取付部
１７ バルブ本体
１８ バルブ本体接続部
１９ 円体バルブ
２０ 切軸押圧板
２１ スプリング
２２ ナット
２３ 消火剤案内部
２４ 胴体後部カバー
２５ ナット
２６ 切軸
２７ ホース
２８ 手持ち式制御バルブ
２９ 消火器筒
３０ 消火剤出口
【図２】
0003143441.tif 000003
【図３】
0003143441.tif 000004
【図１】
0003143441.tif 000005
【図４】
0003143441.tif 000006
【図５】
0003143441.tif 000007